(57)【要約】　　　（修正有）【課題】加工コストの増加等を招くことなく、プラスチック製針の先端を所望の方向に所定の角度だけ湾曲させることができ、口腔内等の狭い部位に操作性よく正確に注入・吸引することが可能な注入器具を提供する。【解決手段】薬剤を満たす中空部３及び中空部の先端に連なりプラスチック針４を装着する装着部５を有するシリンダ１と、上記中空部内にプランジャ軸１５を挿入して上記薬剤を上記プラスチック針から射出させるプランジャ２と、上記プラスチック針に着脱自在であって、当該プラスチック針の先端を所望の方向に湾曲させるアダプタとを備えたことを特徴とする。【選択図】　　　　図１
2004049357.tif 000002
【特許請求の範囲】
【請求項１】
薬剤を所望の部位に注入するための薬剤注入器具であって、薬剤を満たす中空部及び中空部の先端に連なりプラスチック針を装着する装着部を有するシリンダと、上記中空部内にプランジャ軸を挿入して上記薬剤を上記プラスチック針から射出させるプランジャと、上記プラスチック針に着脱自在であって、当該プラスチック針の先端を所望の方向に湾曲させるアダプタとを備えたことを特徴とする薬剤注入器具。
【請求項２】
上記アダプタは、予め所定の角度だけ湾曲した円筒形状の部材からなり、当該アダプタは、プラスチック針の針先から挿入し、所定の位置まで差し込むことにより、可撓性を有するプラスチック針の針先を所望の方向に湾曲させることを特徴とする請求項１記載の薬剤注入器具。
【発明の詳細な説明】
【０００１】
【発明の属する技術分野】
本発明は、液体や糊剤根管充填剤のような粘度のある歯科用あるいは医療用治療剤（以下、単に「治療剤」という。）を、口腔内等の狭い部位に操作性よく正確に注入・吸引することが可能なシリンジ等の注入器具に関し、特に使い捨て用に適した注入器具に関するものである。
【０００２】
【従来の技術】
従来、この種のシリンジ、特にディスポーザブルタイプと称されるシリンジとして、プラスチック成形のシリンダとプランジャからなり、シリンダ内に一回の治療に要する分だけ治療材を封入したものが多く使用されるようになってきている。この種のシリンジにおいて現在技術的に問題とされているのは、無駄になる治療材の量が多いことである。即ち、プランジャを一杯にシリンダ内に押し込んで治療材を射出させても、シリンダ先端に設けるカニューレ部分の容積程度の量が必ず押し出せずに残存してしまい、一回の治療に必要な量よりもその分だけ余計にシリンダ内に充填しておかなれければならず、またその余分な治療材は必然的に廃棄されることになるため、治療材の効果的な利用が図れていなかったことである。
【０００３】
そこで、本出願人は、かかる問題点を解決するため、特許第３１１５１９６号公報に係るシリンジを既に提案している。
【０００４】
この特許第３１１５１９６号公報に係るシリンジは、図５に示すように、治療材を満たす中空部１０１及び該中空部１０１の先端に連なる治療材射出用のカニューレ部１０２を有するシリンダ１００と、上記中空部１０１内にプランジャ軸１０３を挿入して上記治療材を上記カニューレ部１０２から射出させるプランジャ１０４とからなり、上記プランジャ軸１０３の先端に、治療材射出時に上記カニューレ部１０２内に押し込まれる押し出し部１０５を設け、該押し出し部１０５を上記カニューレ部１０２の内面形状に沿って変形可能な可撓性材料から形成してなるように構成したものである。
【０００５】
【発明が解決しようとする課題】
しかしながら、上記従来技術の場合には、次のような解決すべき課題を有している。すなわち、上記特許第３１１５１９６号公報に係るシリンジの場合には、図５に示すように、シリンダ１００の先端部に治療材を射出するカニューレ部１０２が設けられているが、このカニューレ部１０２は、シリンダ１００に対して一方向を向き且つ一定の角度で傾斜した状態で一体的に設けられている。
【０００６】
ところで、上記従来のシリンジの場合には、図５に示すように、歯科医師等がシリンダ１００の基端部に設けられた指用つば１０６に、人指し指と中指を掛けた状態でシリンダ１００を挟持するとともに、プランジャ１０４の基端部に設けられた親指あて１０７に親指を当てた状態で、当該プランジャ１０４をシリンダ１００の中空部１０１に圧入することによって、カニューレ部１０２から治療材を射出させるように構成されている。
【０００７】
そのため、上記シリンジの場合には、カニューレ部１０２が、シリンダ１００に対して一方向を向き且つ一定の角度で傾斜した状態で一体的に設けられているため、歯科医師等が患者の口腔内の治療箇所に治療材を注入する際に、シリンダ１００を挟持する人指し指及び中指と、プランジャ１０４を押圧する親指とで、シリンダ１００の先端に位置するカニューレ部１０２の方向及び角度が決定されてしまい、口腔内の治療位置等によっては、手首を捻るなどして所定の位置に治療材を注入しなければならず、操作性が悪いという問題点を有していた。
【０００８】
また、歯科治療等においては、プラスチック製の針を用いた薬剤注入器具が使用されており、当該プラスチック製針の先端を一定の角度に湾曲させたものを用いることも考えられる。
【０００９】
しかし、この場合には、プラスチック針は細く長いため一回の成形によって、最終的に湾曲した形状の針を得ることが困難であり、プラスチック針を真っ直ぐに成形した後に、加熱して曲げる等の２次加工が必要であった。そのため、上記プラスチック針を使用した場合には、加工に多くのコストを必要とするばかりか加工条件及び加工後の曲げ角度の戻りにより、曲げ角度が一定しないという問題点を有していた。
【００１０】
そこで、本発明は、上記従来技術の問題点を解決するためになされたものであり、その目的とするところは、加工コストの増加等を招くことなく、プラスチック製針の先端を所望の方向に所定の角度だけ湾曲させることができ、口腔内等の狭い部位に操作性よく正確に注入・吸引することが可能な注入器具を提供することにある。
【００１１】
【課題を解決するための手段】
本発明に係る薬剤注入器具は、上記の目的を達成するため、薬剤を所望の部位に注入するための薬剤注入器具であって、薬剤を満たす中空部及び中空部の先端に連なりプラスチック針を装着する装着部を有するシリンダと、上記中空部内にプランジャ軸を挿入して上記薬剤を上記プラスチック針から射出させるプランジャと、上記プラスチック針に着脱自在であって、当該プラスチック針の先端を所望の方向に湾曲させるアダプタとを備えるように構成したものである。
【００１２】
また、本発明に係る薬剤注入器具は、上記アダプタを、予め所定の角度だけ湾曲した円筒形状の部材から構成し、当該アダプタは、プラスチック針の針先から挿入し、所定の位置まで差し込むことにより、可撓性を有するプラスチック針の針先を所望の方向に湾曲させるように構成することができる。
【００１３】
【発明の実施の形態】
以下に、この発明の実施の形態について図面を参照して説明する。
【００１４】
図１乃至図３は本発明に係る薬剤注入器具の一実施の形態を示す断面図である
【００１５】
図１において、本実施の形態に係る薬剤注入器具は、主に、治療材を封入するシリンダ１と、治療材をシリンダ１から押し出すためのプランジャ２とからなるなお、以下では本実施の形態に係る薬剤注入器具を歯科用治療材の射出、注入用のものとして説明するが、本発明がこのような用途に限定されないことはもちろんである。また本発明に係る薬剤注入器具は、図示した実施の形態における形状、寸法、構造のものには限定されず、種々の態様の注入器具に採用できることも明らかである。
【００１６】
シリンダ１は、プラスチック材を中空の円筒状に成形したもので、歯科用の治療材、例えばペースト状の根管充填材のような治療材Ａを封入するための中空部３と、中空部３の先端にプラスチック製のプラスチック針４を装着するための装着部５とからなる。中空部３は装着部５と反対側の端部に指用つば６を形成してあり、その中心に挿入口７を設けてある。また、装着部５は、プラスチック針４の基端部８を嵌合した状態に装着する径の小さい円筒状に形成された嵌合部９と当該嵌合部９の外周に径の大きな円筒状として二重に形成された螺合部１０とからなる。嵌合部９の先端は、その径が更に小さい円筒状に形成された射出部１１となっており、螺合部１０よりも突出している。さらに、螺合部１０の内周面には、プラスチック針４を螺合するための雌ネジ部１２が、大きなピッチで形成してある。なお、シリンダ１にプラスチック針４を嵌合しない場合は、図２に示すように、治療材Ａを充填した状態で、その装着部５に封止部材１３が嵌合されているとともに螺合されている。
【００１７】
一方、プランジャ２は、親指あて１４とプランジャ軸１５とからなり、プランジャ軸１５は先端に、治療材Ａを押し出すための押し出し部１６を備えている。また、プランジャ軸１５は、親指あて１４側にシリンダ１の中空部３内への挿入寸法を制限するためのストッパー部１７を備えている。
【００１８】
ところで、プラスチック針４は、図３に示すように、シリンダ１の装着部５に嵌合されるとともに螺合される基端部２０と、当該基端部２０の先端側に設けられた中間部２１と、当該中間部２１の先端側に設けられた可撓性を有する針部２２とから構成される。基端部２０は、先端側の径が若干小さくなるようにテーパー状に形成されており、シリンダ１の嵌合部９に嵌合されるとともに、螺合部１０に螺合される。基端部２０の下端には、シリンダ１の螺合部１０に螺合するための雄ネジ部２３が設けられている。また、中間部２１は、基端部２０と針部２２とを連通させる部分であり、その途中の部分２１ａで傾斜角度を変え先端が細く形成された略円錐形状となっている。中間部２１の外周には、プラスチック針４をシリンダ１の螺合部１０に螺合する際に、指先で握るための鍔部２４が１８０度異なった位置にそれぞれ設けられている。さらに、針部２２は、中間部２１の先端に一体的に設けられ、その先端が所定の径を有するように極細く形成されており、中間部２１との連結部分２５より先端が任意の方向に任意の量だけ湾曲自在なように可撓性を有している。
【００１９】
さらに、プラスチック針４の針部２２には、当該針部２２を所望の方向に所定の角度だけ湾曲させるための湾曲用のアダプタ３０を装着する。アダプタ３０は図４に示すように、プラスチック針４の中間部２１の先端近傍の外径に適合した内径を有しており、所定の曲げ角度（図示例では、４５度）だけ途中部分３１を湾曲させた円筒形状に形成されている。このアダプタ３０の材質は、プラスチックの他、金属、セラミック等であっても良い。また、アダプタ３０は、プラスチック針４の中間部２１に嵌合される部分３２よりも、針部２２に嵌合される部分３３の方が若干長く設定されている。
【００２０】
以上の構成において、この実施の形態に係る薬剤注入器具の場合には、次のようにして、加工コストの増加等を招くことなく、プラスチック製針の先端を所望の方向に所定の角度だけ湾曲させることができ、口腔内等の狭い部位に操作性よく正確に注入・吸引することが可能となっている。
【００２１】
すなわち、歯科用の根管充填剤の射出、注入用に用いる薬剤注入器具においては、図２に示すように、予め、プランジャ軸１５の先端から装着部５にかけて治療材Ａが緊密にシリンダ１内に封入された状態となっている。この状態で、薬剤注入器具の装着部５に嵌合および螺合されていた封止部材１３を外し、図１に示すように、代わりにプラスック針４を嵌合および螺合する。さらに、上記プラスチック針４の先端部には、針先よりアダプタ３０を挿入し、図３に示すように、所定の位置まで差し込むことにより、一定の角度に湾曲した針先を得ることができる。このとき、プラスチック針４の先端部に挿入するアダプタ３０の向きを周方向に沿って変えることにより、プラスチック針４の先端の湾曲方向を任意の方向に設定することができる。なお、アダプタ３０は、予めプラスチック針４の先端部に挿入しておいても勿論よい。
【００２２】
そして、シリンダ１内に封入された状態の治療材Ａをプランジャ２によって押圧することによって、プラスチック針４の先端から必要な治療部位へ治療材を充填する。具体的には、図１の状態から歯科医師等の術者が指用つば６と親指あて１４の操作により、プランジャ２をシリンダ１内に所定量だけ押し込めば、プラスチック針４の先端から１回の治療に必要な量の治療材Ａが射出される。
【００２３】
その際、上記プラスチック針４の湾曲方向は、アダプタ３０を挿入する際に、当該アダプタ３０の湾曲部３１の向きを変えることにより任意に設定することができるので、口腔内等の治療箇所の位置に関わらず、容易に薬剤を所定の治療箇所に注入することができ、加工コストの増加等を招くことなく、操作性よく正確な薬剤の注入が可能となる。
【００２４】
このように、上記実施の形態では、プラスチック針４に熱加工を行わないため極めて経済的である。また、製造業者による装着だけでなく、臨床医などがチェアサイドで必要に応じてアダプタ３０を使用することができる。アダプタ３０は安価であり、針先とともにデイスポーザブルである。さらに、アダプタ３０は、必要に応じてオートクレープ等の滅菌処理を施すことができる。
【００２５】
更に、上記プラスチック針４の湾曲方向は、アダプタ３０により固定されるため、曲げ角度が変わってしまうというような不都合もない。
【００２６】
【発明の効果】
以上述べたように、本発明によれば、加工コストの増加等を招くことなく、プラスチック製針の先端を所望の方向に所定の角度だけ湾曲させることができ、口腔内等の狭い部位に操作性よく正確に注入・吸引することが可能な注入器具を提供することができる。
【図面の簡単な説明】
【図１】本発明に係る薬剤注入器具の一実施の形態を示す治療材を封入した使用状態で示す断面図である。
【図２】本発明に係る薬剤注入器具の一実施の形態を示す治療材を封入した使用前の状態で示す断面図である。
【図３】本発明に係る薬剤注入器具の一実施の形態に用いられるプラスチック針を示す正面図である。
【図４】本発明に係る薬剤注入器具の一実施の形態に用いられるアダプタを示す断面図である。
【図５】従来の薬剤注入器具を示す断面図である。
【符号の説明】
１　シリンダ
２　プランジャ
３　中空部
４　プラスチック針
５　装着部
６　指用つば
７　挿入口
８　基端部
９　嵌合部
１０　螺合部
１１　射出部
１２　雌ネジ部
１３　封止部材
１４　親指あて
１５　プランジャ軸
１６　押し出し部
１７　ストッパー部
２０　プラスチック針の基端部
２１　中間部
２２　針部
２３　雄ネジ部
２４　鍔部
２５　連結
３０　アダプタ
３１　湾曲部
３２　プラスチック針の中間部に嵌合される部分
３３　針部に嵌合される部分
【図１】
2004049357.tif 000003
【図２】
2004049357.tif 000004
【図３】
2004049357.tif 000005
【図４】
2004049357.tif 000006
【図５】
2004049357.tif 000007